(57)【要約】  キャリアプレートと前記キャリアプレートに対して取り外し可能に取り付けられた複数のパッキングを備えた殺菌インプラントの包装用のマルチパックシステムである。前記複数のパッキングのそれぞれがインプラントを含むとともに前記キャリアプレートから個別に取り外し可能である。【選択図】図１
2013532547.tif 000002
【特許請求の範囲】
【請求項１】
キャリアプレートと；
前記キャリアプレートに対して取り外し可能に取り付けられた複数のパッキングを備えてなり、前記複数のパッキングのそれぞれがインプラントを含むとともに前記キャリアプレートから個別に取り外し可能である、
殺菌インプラントの包装用のマルチパックシステム。
【請求項２】
キャリアプレートは四角形であって４個の角部を備え、複数のパッキングのそれぞれが長手方向に並んで整列されキャリアプレートに対してその一縁部に近接して取り付けられる請求項１記載のマルチパックシステム。
【請求項３】
個々のパッキングが引き剥がしストリップによってキャリアプレートから個別に取り外し可能である請求項１記載のマルチパックシステム。
【請求項４】
キャリアプレートがインデックスカードである請求項１記載のマルチパックシステム。
【請求項５】
各パッキングがキャリアプレートから取り外される毎に残っているパッキングの数を示すために各パッキングの下に印刷された通し番号をキャリアプレートが備える請求項１記載のマルチパックシステム。
【請求項６】
パッキング内に収容されたインプラントの種類および／またはサイズの１つを示すタブをキャリアプレートがその一縁部に沿って備えてなる請求項１記載のマルチパックシステム。
【請求項７】
キャリアプレートがそのキャリアプレート上のパッキングが載置されていない部分を貫通する少なくとも１個の孔部を備える請求項１記載のマルチパックシステム。
【請求項８】
キャリアプレートがその上に印刷されたバーコードを備え、バーコードがインプラントの種類および／またはサイズの１つに対応する請求項１記載のマルチパックシステム。
【請求項９】
複数のパッキングのそれぞれの第１の端部が非金属ストラップ、結合剤、あるいはホットスタンプのいずれかによってキャリアプレートに固定される請求項２記載のマルチパックシステム。
【請求項１０】
マルチパックシステムが少なくとも２枚のキャリアプレートを備え、各キャリアプレートがそれぞれ異なった種類および／またはサイズのインプラントを含む請求項１記載のマルチパックシステム。
【請求項１１】
キャリアプレートは機械式循環搬送システムに取り付け可能であり、キャリアプレート上に印刷され各キャリアプレートに対して固有の数値を示すバーコードを介して各キャリアプレートを前記循環搬送システムが認識する請求項１記載のマルチパックシステム。
【請求項１２】
キャリアプレートを示す特定の数値を制御デバイスに入力することによって循環搬送システムが所要のキャリアプレートを供給場所に搬送する請求項１１記載のマルチパックシステム。
【請求項１３】
キャリアプレートが第１の面と第２の面を備え、複数のパッキングは第１の面に取り付けられるとともに、第２の面にはバーコード、表記および管理情報のいずれかが印刷される請求項１記載のマルチパックシステム。
【請求項１４】
キャリアプレートが第１の面と第２の面を備え、複数のパッキングは第１の面および第２の面の両方に取り付けられる請求項１記載のマルチパックシステム。
【請求項１５】
インプラントを取り出すためにパッキングを開封するためのミシン目をパッキングがその一部に備える請求項１記載のマルチパックシステム。
【請求項１６】
第１の面と第２の面を有する実質的に平坦な第１のキャリア体と；
前記第１のキャリア体の前記第１の面に取り外し可能に取り付けられていて個別包装された第１の医療インプラントと；
前記第１の医療インプラントに隣接して前記第１のキャリア体の前記第１の面に取り外し可能に取り付けられていて個別包装された第２の医療インプラントを備え、前記第１の医療インプラントが取り外されるまで前記第２の医療インプラントが取り外されることが防止されるように前記第１および第２の医療インプラントが配置される、
医療インプラント用の包装システム。
【請求項１７】
各医療インプラントが取り出される毎に医療インプラントの残り数を表示するように構成されたラベルを第１のキャリア体が備える請求項１６記載の包装システム。
【請求項１８】
第３および第４の面を有するとともにその上に第３および第４の医療インプラントを取り外し可能に収容するよう構成された第２のキャリア体をさらに備え、前記第３および第４の医療インプラントは第１および第２の医療インプラントと異なったものとされる請求項１６記載の包装システム。
【請求項１９】
第１および第２のキャリア体が、それら第１および第２のキャリアプレートをその上に印刷されたバーコードを介して認識するよう構成された機械式循環搬送システムに取り付けることを可能にするために、それら第１および第２のキャリア体を介して延在する第１および第２の孔をそれぞれ備える請求項１８記載の包装システム。
【請求項２０】
第１および第２の医療インプラントが第１のキャリア体に対して非金属ストラップ、結合剤、あるいはホットスタンプのいずれかによって取り付けられる請求項１６記載の包装システム。
【発明の詳細な説明】
【優先権主張】
【０００１】
この出願は、２０１０年７月２７日付でＵｒｓ  Ｈｕｌｌｉｇｅｒによって提出された米国仮出願第６１／３６７，９８４号“医療インプラント用のマルチパックシステム”の優先権を主張するものである。その出願の内容全体がここで引用して組み入れられている。
【技術分野】
【０００２】
この発明は全般的に無菌インプラントの包装用のマルチパックシステムに係り、キャリアプレートとそのキャリアプレートに対してそれぞれ独立したユニットとして固定された複数の個別パッキングを備えたシステムに関する。従って、本発明は使用者が多様な使用場所のインプラントを構成するとともにそれらのインプラントをそのサイズおよび製品仕様に従って整理することを可能にする。本発明によれば、ユーザが特定の種類およびサイズのインプラントを短時間に容易に発見し得るような方式でボックス内に収納することができるキャリアプレート上にインプラントを配置することが可能になる。さらに、収納システム内において短い半径上にインプラントが整理されるが、そうでない場合はインプラントが多様な方式で収納されるものとなる。
【背景技術】
【０００３】
医療インプラントの（例えば手術室における）収容性およびアクセシビリティは、インプラントの分類、貯蔵、配置、および取り扱いを容易にするための補助となり得る。現状において、インプラントは引出内のボード上に配置されたボックス内に個別に収納される。所要のインプラントを配置するためにユーザは各引出上のラベルを読み取る必要がある。この収納システムは時間を費やすものであるとともに大きなスペースを必要とし得るものである。
【０００４】
マルチパックシステムは独国実用新案第２０２００５０１６８１８号Ｕ１明細書によって知られている。このマルチパックシステムは個々のパッキングが独立したボール紙ストライプに対してブリスタによって固定され、個々のパッキングの全てが別々かつ緩やかに折り曲げパウチ内に挿入されるという難点を伴っている。
【０００５】
米国特許第５，２４９，６７２号明細書によって別のマルチパックシステムが知られている。この既知のマルチパックシステムは、対象物が（キャリア）対象物上には固定されず、３枚の直線プレートによって保持されるという難点を伴っている。このシステムは、手術に使用する前に対象物を殺菌しなければならないため医療用途には適してない。加えて、対象物が折り曲げられたボール紙内に包装され、従ってユーザがその中に何個の対象物が収容されているかを目視することが妨害される。さらに、このシステムでは直線プレートの間の開口を介しての対象物へのアクセスが妨害される。
【０００６】
別のマルチパックシステムが米国特許第５，３８６，９１２号明細書によって知られている。この既知のマルチパックシステムは、個々の対象物がキャリア対象物上で捕捉されるがそこに固定はされないという難点を伴っている。この代替案によればシステム全体が折り曲げられたボール紙内に挿入され、従って上記の米国特許第５，２４９，６７２号明細書に関して述べたものと同様な問題点を有している。
【０００７】
別のマルチパックシステムが米国特許第４，１２１，７１１号明細書によって知られている。この既知のマルチパックシステムも折り曲げカード上に固定され、従って上述と同様な問題点を有する。特に、折り曲げられたカード上に固定される対象物のため、パックシステム内に何個の対象物が残留しているかをユーザが即座あるいは容易に確認することが不可能となる。
【発明の概要】
【発明が解決しようとする課題】
【０００８】
本発明は、キャリアプレートとＮ≧２であるＮ個の個別パッキングを備え、前記個別パッキングがユニット群として前記キャリアプレート上に取り付けられるとともに各ユニットが開封されることなく前記キャリアプレートから取り外し可能である、殺菌インプラントの包装用のマルチパックシステムに関する。
【課題を解決するための手段】
【０００９】
本発明の好適な実施形態によれば、キャリアプレートが四角形であって４個の角部を備え、その際Ｎ個の個別パッキングはそれぞれ別々にキャリアプレートの角部のうちの１つに近接して固定される。本発明に係るマルチパックシステムの利点の１つは、キャリアプレートに対しての各個別パッキングの別々の固定のため１個のパッキングを取り外した後も残りのパッキングが依然としてキャリアプレート上に固定され、従って残りのパッキングはキャリア装置から脱落しないことである。
【００１０】
本発明の別の好適な実施形態によれば、パッキングはそれぞれ独立してかつ剥ぎ取りストリップによって開封されることもなく取り外し可能である。このことにより、１つの単一パッキングが剥ぎ取りストリップによって除去されても残りのパッキングがキャリアプレート上に固定されることが可能になる。
【００１１】
本発明の別の好適な実施形態によれば、キャリアプレートがインデックスカードのように形成される。この構成は貯蔵物の容易な取扱いおよび検索と確認および整理を可能にする。
【００１２】
別の好適な実施形態によれば、前記キャリアプレートが通し番号を有していてキャリアプレート上の各個別パッキングの下にそれぞれ１個の数字が配置される。この構成によってキャリアプレート上に何個のパッキングが残っているかをユーザが容易に判定することが可能になり、それによって新しいマルチパックシステムをいつ注文するかを判断することが容易になる。
【００１３】
別の好適な実施形態によれば、キャリアプレートが角部の頂上にリジェンドストリップを備える。この構成によって各キャリアプレートに対象物およびサイズ、またはその他の内容物の説明が表記され得るという利点が得られる。加えて、複数の異なったキャリアプレートが存在する場合にもそれらを一連で貯蔵するとともにユーザが一目で所要のキャリアプレートを発見することが可能になる。
【００１４】
別の好適な実施形態によれば、キャリアプレートがそのキャリアプレートを貫通する孔部をキャリアプレート上のパッキングが載置されていないフリースペース内にＰ≧１であるＰ個備える。その構成によって、キャリアプレートをリングバインダ等の中に収容することが可能になる。
【００１５】
別の好適な実施形態によれば、キャリアプレート上の、特に最後から２番目の個別パッキングあるいは最後の個別パッキングの下にバーコードが印刷される。この構成によって新しいキャリアプレートを容易かつ効率的に注文することが可能になる。
【００１６】
別の好適な実施形態によれば、Ｎ個のパッキングは前記キャリアプレートに対してその最上部かつそのキャリアプレートの縁部の１つに近接して長手方向にそれぞれ離間して整列するように非金属ストラップを使用して固定される。この構成によりキャリアプレート上における全てのパッキングの固定が保証される。
【００１７】
別の好適な実施形態によれば、Ｎ個のパッキングは前記キャリアプレートに対してその最上部かつそのキャリアプレートの縁部の１つに近接して長手方向に並びそれぞれ離間して整列するように接着剤等の結合剤を使用して固定される。この構成によってパッキングを互いに離間させてあるいは相互に連結して結合剤によって固定することが可能になる。
【００１８】
別の好適な実施形態によれば、Ｎ個のパッキングは前記キャリアプレートに対してその最上部かつそのキャリアプレートの縁部の１つに近接して長手方向に並びそれぞれ離間して整列するようにホットスタンプ手段を使用して固定される。この構成によって金属製でないキャリアプレートに対してプラスチックパッキングを固定する容易な方法が提供されるという利点が達成される。
【００１９】
別の好適な実施形態によれば、マルチパックシステムがＭ≧２であるＭ枚のキャリアプレートを備える。この構成によれば、複数のキャリアプレートが存在する場合に拡張可能なフォルダシステムとしてマルチパックシステムを形成することが可能になる。
【００２０】
別の好適な実施形態によれば、キャリアプレートは孔部を介して機械式循環搬送システムに対して取り付けることができる。この構成によって、各キャリアプレート位置を制御することができるコンピュータ支援機械システム内に複数のキャリアプレートを挿入することが可能になる。このことによってユーザがキャリアプレートを検索して検出したキャリアプレートを特定の位置に搬送するが可能になり、従ってユーザが容易にキャリアプレートにアクセスしてそのキャリアプレートからパッキングを使用のために取り出すことが可能になる。
【００２１】
別の好適な実施形態によれば、循環搬送システムがバーコードによってキャリアプレートを認識する。この構成によって、ユーザがバーコードによって示される数字をコンピュータに入力して特定のキャリアプレートを検索および捕捉することが可能になる。
【００２２】
別の好適な実施形態によれば、キャリアプレートが前面と後面を備えるとともにＮ個の個別パッキングは前記前面にのみ取り付けられ、また前記後面は好適にはバーコードあるいはその他の認識および管理手段を受容するために使用される。この構成によって、容易な整理および／またはコンピュータ化された検索データベースが可能になる。
【００２３】
別の好適な実施形態によれば、キャリアプレートが前面と後面を備えるとともにＮ個の個別パッキングは両方の面に取り付けられる。この構成によってキャリアプレートが２倍の数のパッキングを搭載することが可能になる。
【００２４】
次に、本発明の実施例につき添付図面を参照しながら説明する。
【図面の簡単な説明】
【００２５】
【図１】本発明に係るマルチパックシステムの好適な一実施例を示した上面図である。
【図２】図１の本発明に係るマルチパックシステムの実施例のキャリアプレート上の各個別パッキングの下に印刷された数字を示した上面図である。
【図３】図１の本発明に係るマルチパックシステムの実施例を印刷されたバーコードとともに示した上面図である。
【発明を実施するための形態】
【００２６】
本発明は医療インプラント用のパックシステムに関する。典型的なパックシステムは複数の個別に包装されたインプラントを備えていてそれらがキャリアプレートに固定され、そのキャリアプレートが医師あるいはその他のユーザに対して個々のインプラントを取り出すことを可能にする。キャリアプレートはさらにそのキャリアプレート上の残ったインプラントの数を示すラベルを備え、従って当業者において理解されるように医師がインプラントの数を素早く読み取り適切な処置を実行することを可能にする。
【００２７】
図１ないし図３には、殺菌されキャリアプレート９に固定されたＮ個の個別パッキング２を備えたマルチパックシステム１が示されている。個別パッキング２のそれぞれが例えば骨固定部材等のインプラントを含む。マルチパックシステム１が１枚より多いキャリアプレート９を備え、各キャリアプレート９が特定の種類および／またはサイズのインプラントを含んだパッキング２を有することもできる。例えば、第１のキャリアプレート９が４０ｍｍの長さの骨固定ネジを含んだパッキング２を備え、一方第２のキャリアプレート９（図示されていない）は４２ｍｍの長さの骨固定ネジを含んだパッキング２を備えることができる。キャリアプレート９は、例えばインデックスカードに似た４本の直線縁部１０を有する四角形とすることができる。キャリアプレート９は１本の縁部１０に沿ってリジェンドストリップあるいはタブ５を備えることができ、従ってその上に特定のインプラントの種類および／またはサイズを表示することができる。キャリアプレート９はそのキャリアプレート９のパッキング２によって被包されていないフリースペースを貫通する少なくとも１個の孔部６をリングバインダあるいはその他の同様な器具への装着のために備えることができる。当業者においては、四角形のキャリアプレート９がパッキング２の効率的な配置とキャリアプレート９の容易な貯蔵を可能にすることが理解されよう。しかしながら当業者においては、キャリアプレート９はそのキャリアプレート９が個別パッキング２をその上に装着することを許容するものである限り多様な形状を備え得ることも理解されよう。
【００２８】
個別パッキング２はそれぞれ独立してキャリアプレート９の１本の縁部１０に近接して非金属ストライプ３によって前記キャリアプレート９に対して固定することができる。個別パッキング２はキャリアプレート９上で長手方向に並び整列させて配置することができ、従って非金属ストラップ３は各個別パッキング２の第１の端部をキャリアプレート９に固定する。個別のパッキング２を開封することなくキャリアプレート９からそのパッキング２を個々に取り外すことを可能にするために非金属ストラップ３を引き剥がすことができる。他方、個別パッキング２はその他の既知の固定方法、例えば結合剤（接着剤等）あるいはホットスタンプ法を使用してキャリアプレート９に固定することもできる。パッキング２はそのパッキング２がキャリアプレート９から取り外された後にそのパッキング２を開封するためにその一部に沿ってミシン目が付けられた帯状部を備えることができる。
【００２９】
キャリアプレート９はその上の個別パッキング２の下に印刷された通し番号７を備えることができ、従ってパッキング２が個別に取り外された後にキャリアプレート９上に残ったパッキング２の数が通し番号７によって示される。例えば１２個のパッキング２を備えたキャリアプレート９の場合アラビア数字の“１１”から“１”の通し番号を左から右に向かって印刷することができ、従って各パッキング２がキャリアプレート９から取り外される毎に数字が示される。図２に示されているように、例えば４個のパッキング２が取り外されると“１１”から“８”の数字が表示され、すなわち“８”個のパッキングが残っていることを意味する。残りの数字“７”から“１”はキャリアプレート９上に残っている個別パッキング２の下に印刷されており、追加的にパッキング２がキャリアプレート９から取り外される毎に表示される。図２に示された通し番号７はパッキング２を左から右に取り外すことを可能にするように印刷されている。しかしながら当業者においては、通し番号７がパッキング２を右から左に取り外すように印刷することも可能であることが理解されよう。
【００３０】
図３に示されているようにキャリアプレート９がその上に印刷されたバーコード８を備えることも可能であり、そのバーコード８はキャリアプレート９上に収容された特定のインプラントの種類および／またはサイズに対応するものとなる。従って、限定された数のパッキング２がキャリアプレート９上に残っている場合、特定の種類および／またはサイズの追加的なインプラントを注文するために単にバーコード８をスキャンすることができる。バーコード８はキャリアプレート９上の任意の位置に印刷することができ、従ってバーコードが可視になったことが追加的なインプラントを注文する時期であることを示すようにすることができる。当業者においては、本発明を実施するためのその他の多様な方式でバーコード８を使用し得ることが理解されよう。
【００３１】
本発明およびその利点について詳細に説明したが、請求の範囲に定義された本発明の視点および精神を逸脱することなく種々の設計変更、代替、ならびに改造を成し得ることが理解されよう。勿論、本発明の視点は本明細書に記載された特定のプロセス、装置、製造方法、構成、手段、方法ならびに工程の実施例に限定されることはない。当業者において本発明の開示から容易に理解されるように、ここで記述された実施例によるものと実質的に同等な機能を実施するかまたは実質的に同等な結果を達成するプロセス、装置、製造方法、構成、手段、方法ならびに工程が本発明に従って既に実現しているかあるいは今後開発することによって実施可能である。
【００３２】
当業者においては、請求の範囲に定義された本発明の視点を逸脱することなく本発明の種々の設計変更ならびに改造を成し得ることが理解されよう。そのうちのいくつかについては上述したがその他のものについても当業者においては自明であろう。
【図１】
2013532547.tif 000003
【図２】
2013532547.tif 000004
【図３】
2013532547.tif 000005
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
キャリアプレートと；
前記キャリアプレートに対して取り外し可能に取り付けられた複数のパッキングを備えてなり、前記複数のパッキングのそれぞれがインプラントを含むとともに前記キャリアプレートから個別に取り外し可能である、
殺菌インプラントの包装用のマルチパックシステム。
【請求項２】
キャリアプレートは四角形であって４個の角部を備え、複数のパッキングのそれぞれが長手方向に並んで整列されキャリアプレートに対してその一縁部に近接して取り付けられる請求項１記載のマルチパックシステム。
【請求項３】
個々のパッキングが引き剥がしストリップによってキャリアプレートから個別に取り外し可能である請求項１記載のマルチパックシステム。
【請求項４】
キャリアプレートがインデックスカードである請求項１記載のマルチパックシステム。
【請求項５】
各パッキングがキャリアプレートから取り外される毎に残っているパッキングの数を示すために各パッキングの下に印刷された通し番号をキャリアプレートが備える請求項１記載のマルチパックシステム。
【請求項６】
パッキング内に収容されたインプラントの種類および／またはサイズの１つを示すタブをキャリアプレートがその一縁部に沿って備えてなる請求項１記載のマルチパックシステム。
【請求項７】
キャリアプレートがそのキャリアプレート上のパッキングが載置されていない部分を貫通する少なくとも１個の孔部を備える請求項１記載のマルチパックシステム。
【請求項８】
キャリアプレートがその上に印刷されたバーコードを備え、バーコードがインプラントの種類および／またはサイズの１つに対応する請求項１記載のマルチパックシステム。
【請求項９】
複数のパッキングのそれぞれの第１の端部が非金属ストラップ、結合剤、あるいはホットスタンプのいずれかによってキャリアプレートに固定される請求項２記載のマルチパックシステム。
【請求項１０】
マルチパックシステムが少なくとも２枚のキャリアプレートを備え、各キャリアプレートがそれぞれ異なった種類および／またはサイズのインプラントを含む請求項１記載のマルチパックシステム。
【請求項１１】
キャリアプレートは機械式循環搬送システムに取り付け可能であり、キャリアプレート上に印刷され各キャリアプレートに対して固有の数値を示すバーコードを介して各キャリアプレートを前記循環搬送システムが認識する請求項１記載のマルチパックシステム。
【請求項１２】
キャリアプレートを示す特定の数値を制御デバイスに入力することによって循環搬送システムが所要のキャリアプレートを供給場所に搬送する請求項１１記載のマルチパックシステム。
【請求項１３】
キャリアプレートが第１の面と第２の面を備え、複数のパッキングは第１の面に取り付けられるとともに、第２の面にはバーコード、表記および管理情報のいずれかが印刷される請求項１記載のマルチパックシステム。
【請求項１４】
キャリアプレートが第１の面と第２の面を備え、複数のパッキングは第１の面および第２の面の両方に取り付けられる請求項１記載のマルチパックシステム。
【請求項１５】
インプラントを取り出すためにパッキングを開封するためのミシン目をパッキングがその一部に備える請求項１記載のマルチパックシステム。
【請求項１６】
キャリアプレートが実質的に平坦であるとともに第１の面と第２の面を有し；
複数のパッキングが前記キャリアプレートの前記第１の面に取り外し可能に取り付けられていて個別包装された第１の医療インプラントを含み；
複数のパッキングが前記第１の医療インプラントに隣接して前記キャリアプレートの前記第１の面に取り外し可能に取り付けられていて個別包装された第２の医療インプラントを含み、前記第１の医療インプラントが取り外されるまで前記第２の医療インプラントが取り外されることが防止されるように前記第１および第２の医療インプラントが配置される、
請求項１ないし１５のいずれかに記載のマルチパックシステム。
【請求項１７】
各医療インプラントが取り出される毎に医療インプラントの残り数を表示するように構成されたラベルを第１のキャリアプレートが備える請求項１６記載のマルチパックシステム。
【請求項１８】
第３および第４の面を有するとともにその上に第３および第４の医療インプラントを取り外し可能に収容するよう構成された第２のキャリアプレートをさらに備え、前記第３および第４の医療インプラントは第１および第２の医療インプラントと異なったものとされる請求項１６記載のマルチパックシステム。
【請求項１９】
第１および第２のキャリアプレートが、それら第１および第２のキャリアプレートをその上に印刷されたバーコードを介して認識するよう構成された機械式循環搬送システムに取り付けることを可能にするために、それら第１および第２のキャリアプレートを介して延在する第１および第２の孔をそれぞれ備える請求項１８記載のマルチパックシステム。
【請求項２０】
第１および第２の医療インプラントが第１のキャリアプレートに対して非金属ストラップ、結合剤、あるいはホットスタンプのいずれかによって取り付けられる請求項１６記載のマルチパックシステム。
【国際調査報告】
2013532547.tif 000006
2013532547.tif 000007
2013532547.tif 000008
2013532547.tif 000009